(57)【要約】【課題】取扱いの利便性を大きく向上させることができる美容器および美容器セットを提供することを目的とする。【解決手段】人の肌面に化粧液Ｅを塗布するための美容器１であって、化粧液Ｅが収容される化粧液収容容器１１と、化粧液収容容器１１に収容された化粧液Ｅを霧状に噴射する化粧液噴射機構１２と、化粧液収容容器１１と化粧液噴射機構１２が設けられる本体部１３とを備え、化粧液収容容器１１は、本体部１３の外側面に脱着可能に設けられる。【選択図】図１
0003211373.tif 000002
【実用新案登録請求の範囲】
【請求項１】
人の肌面に化粧液を塗布するための美容器であって、
化粧液が収容される化粧液収容容器と、該化粧液収容容器に収容された化粧液を霧状に噴射する化粧液噴射機構と、前記化粧液収容容器と前記化粧液噴射機構が設けられる本体部とを備え、
前記化粧液収容容器は、前記本体部の外側面に脱着可能に設けられることを特徴とする美容器。
【請求項２】
前記本体部は、前記化粧液収容容器の一方の端部を内側に嵌合する嵌合部が外側面に設けられている請求項１に記載の美容器。
【請求項３】
前記嵌合部は、前記化粧液収容容器の径方向に弾性変形可能な弾性部材により形成されている請求項２に記載の美容器。
【請求項４】
前記嵌合部は、前記本体部から径方向外側に向けて上方に延びたあと、径方向内側に向けて湾曲する形状に形成されている請求項３に記載の美容器。
【請求項５】
請求項１から請求項４までのいずれかに記載の美容器と、
前記美容器を充電する充電器とを備え、
前記美容器は、前記化粧液収容容器が前記本体部の下方に位置する横倒状態で前記充電器に載置される美容器セット。
【請求項６】
前記美容器は、前記化粧液収容容器が前記充電器の外側に位置する状態で前記充電器に載置される請求項５に記載の美容器セット。
【請求項７】
前記美容器は、化粧液収容容器が設けられている一方の端部から他方に端部に向けて下方に傾斜する状態で前記充電器に載置される請求項６に記載の美容器セット。
【考案の詳細な説明】
【技術分野】
【０００１】
本考案は、美容のために人の肌面に化粧液を塗布するための美容器および美容器セットに関するものである。
【背景技術】
【０００２】
美しい肌面、特に美しい顔面はあらゆる人の憧れであり、顔面を美しく装飾するためにあるいは顔面を瑞々しく保つために種々の化粧液が開発されている。そして、従来から、種々の化粧液を顔面に効率的に塗布する装置としてハンディタイプの美容器があった。
【０００３】
例えば、特許文献１には、内部に収容した化粧液を顔面に塗布する美容器が開示されている。これによれば、化粧液を霧状に噴射することにより、化粧液を顔面に斑なく塗布することができる。
【先行技術文献】
【特許文献】
【０００４】
【特許文献１】特開２０１３−１４３９９３号
【考案の概要】
【考案が解決しようとする課題】
【０００５】
しかしながら、特許文献１の美容器は、使用の際において、もともとパウチパック等に収容された化粧液を美容器の内部に移し替えるものであるため、化粧液の移し替えに手間がかかるという問題があった。
【０００６】
また、化粧液を美容器の内部に少量だけ供給するものであるため、美容器の内部の化粧液がすぐに枯渇し、化粧液を頻繁に供給しなければ連続使用できないという問題があった。
【０００７】
さらに、化粧液が美容器の内部に収容されているため、美容器の内部の化粧液の残量を把握するためには検出機器を別に設ける必要があり、美容器が大型化したりコスト高になるという問題があった。
【０００８】
さらにまた、使用後において、美容器の内部に化粧液が残留したままだと、化粧液が美容器の内部で劣化する虞があるという問題がある一方、美容器の内部に残留する化粧液を廃棄すると、資源の無駄が生じるという問題があった。
【０００９】
本考案は、上述の問題に鑑みてなされたものであり、取扱いの利便性を大きく向上させることができる美容器および美容器セットを提供することを目的とする。
【課題を解決するための手段】
【００１０】
本考案は、上記目的を達成するために、人の肌面に化粧液を塗布するための美容器であって、化粧液が収容される化粧液収容容器と、該化粧液収容容器に収容された化粧液を霧状に噴射する化粧液噴射機構と、前記化粧液収容容器と前記化粧液噴射機構が設けられる本体部とを備え、前記化粧液収容容器は、前記本体部の外側面に脱着可能に設けられることを特徴とする。
【００１１】
これによれば、化粧液収容容器が本体部の外側面に脱着可能に設けられているため、本体部の外側面において使用済みの化粧液収容容器を取り外した後、未使用の化粧液収容容器を取り付けることにより、化粧液を美容器に簡単かつ確実に供給することができる。
【００１２】
また、化粧液収容容器により十分な量の化粧液を美容器に供給し得るため、美容器を連続使用することができる。また、化粧液収容容器の大きさを化粧液の種類や用途等に応じて適宜変更することにより、化粧液の供給量を調整することができる。
【００１３】
さらに、化粧液収容容器が本体部の外側面に設けられているため、化粧液の残量を目視により容易に把握し得るため、美容器の内部の化粧液の残量を把握するための検出機器を別に設ける必要がなくなり、美容器が大型化したりコスト高になることを防止することが可能になる。
【００１４】
さらにまた、使用後において、化粧液収容容器が本体部の下方に配置されるよう美容器を回転させて、本体部の内部に残留している化粧液を化粧液収容容器に流出させることにより、化粧液が美容器の外気に触れにくくなり、美容器の内部で劣化することを軽減することができる。また、本体部に残留している化粧液を廃棄することなく利用することができ、資源の無駄が生じるのを防止することが可能となる。
【００１５】
また、前記本体部は、前記化粧液収容容器の一方の端部を内側に嵌合する嵌合部が外側面に設けられているのが好ましい。これによれば、簡易な構成により化粧液収容容器を本体部に脱着可能に設けることができるとともに、化粧液が化粧液収容容器と本体部の間から漏れ出ることを防止することができる。
【００１６】
また、前記嵌合部は、前記化粧液収容容器の径方向に弾性変形可能な弾性部材により形成されているのが好ましい。これによれば、嵌合部が化粧液収容容器の径方向に弾性を備えるため、使用者は化粧液収容容器を本体部に簡単かつ確実に脱着することができる。
【００１７】
また、前記嵌合部は、前記本体部から径方向外側に向けて上方に延びたあと、径方向内側に向けて湾曲する形状に形成されているのが好ましい。これによれば、嵌合部が化粧液収容容器の径方向に柔軟に変形し得るため、使用者は化粧液収容容器を本体部により簡単かつ確実に脱着することができる。
【００１８】
また、本考案は、美容器と、前記美容器を充電する充電器とを備え、前記美容器は、前記化粧液収容容器が前記本体部の下方に位置する横倒状態で前記充電器に載置される美容器セットである。これによれば、美容器が充電器に載置される際に、本体部の内部に残留している化粧液が本体部の下方に位置する化粧液収容容器に流出するため、化粧液が美容器の外気に触れにくくなり、美容器の内部で劣化することを軽減することができる。また、本体部に残留している化粧液を廃棄することなく利用することができ、資源の無駄が生じるのを防止することが可能となる。
【００１９】
また、前記美容器は、前記化粧液収容容器が前記充電器の外側に位置する状態で前記充電器に載置されるのが好ましい。これによれば、化粧液収容容器が充電器の外側に位置するため、美容器を充電器に安定して載置することができる。
【００２０】
また、前記美容器は、化粧液収容容器が設けられている一方の端部から他方に端部に向けて下方に傾斜する状態で前記充電器に載置されるのが好ましい。これによれば、化粧液収容容器が設けられている一方の端部が床面からより離れた状態となるため、化粧液収容容器が充電器の設置面に接触することをより確実に防止することができる。
【考案の効果】
【００２１】
本考案によれば、化粧液収容容器が本体部の外側面に脱着可能に設けられているため、本体部の外側面において使用済みの化粧液収容容器を取り外した後、未使用の化粧液収容容器を取り付けることにより、化粧液を美容器に簡単かつ確実に供給することができる。
【００２２】
また、化粧液収容容器により十分な量の化粧液を美容器に供給し得るため、美容器を連続使用することができる。また、化粧液収容容器の大きさを化粧液の種類や用途等に応じて適宜変更することにより、化粧液の供給量を調整することができる。
【００２３】
さらに、化粧液収容容器が本体部の外側面に設けられているため、化粧液の残量を目視により容易に把握し得るため、美容器の内部の化粧液の残量を把握するための検出機器を別に設ける必要がなくなり、美容器が大型化したりコスト高になることを防止することが可能になる。
【００２４】
さらにまた、使用後において、化粧液収容容器が本体部の下方に配置されるよう美容器を回転させて、本体部の内部に残留している化粧液を化粧液収容容器に流出させることにより、化粧液が美容器の外気に触れにくくなり、美容器の内部で劣化することを軽減することができる。また、本体部に残留している化粧液を廃棄することなく利用することができ、資源の無駄が生じるのを防止することが可能となる。
【００２５】
而して、本発明によれば、取扱いの利便性を大きく向上させることが可能となる。
【図面の簡単な説明】
【００２６】
【図１】本考案に係る美容器の側面図である。
【図２】図１の美容器の平面図である。
【図３】図１の美容器の正面図である。
【図４】図１の美容器の背面図である。
【図５】美容液収容容器の拡大断面図である。
【図６】本考案に係る美容器セットの側面図である。
【図７】図６の美容器セットの平面図である。
【考案を実施するための形態】
【００２７】
＜第１の実施形態＞
次に、本考案に係る美容器の第１の実施形態について図１〜図５を参照しつつ説明する。なお、本明細書において、「前」とは図１の左方をいい、「後」とは図１の右方をいい、「上」とは図１の上方をいい、「下」とは図１の下方をいう。
【００２８】
前記美容器１は、図１〜図４に示すように、人の肌面に化粧液Ｅを塗布するためのハンディタイプの美容器であって、化粧液Ｅが収容される化粧液収容容器１１と、該化粧液収容容器１１に収容された化粧液Ｅを霧状に噴射する化粧液噴射機構１２と、前記化粧液収容容器１１と前記化粧液噴射機構１２が設けられる本体部１３とを備えている。
【００２９】
前記化粧液収容容器１１は、合成樹脂製の透明なアンプルであり、円筒状に形成された側面部１１１と、半球状に形成された底部１１２とを備えている。なお、化粧液収容容器１１は、未使用の状態において、側面部１１１の一方の端部１１１ａの開口部１１３に図略の蓋やフィルム等が被せられることにより内部に化粧液Ｅが密閉されている。
【００３０】
前記化粧液噴射機構１２は、本体部１３の前端部１３ａに設けられており、美容器１のスイッチ１６がＯＮにされると、化粧液収容容器１１に収容された化粧液Ｅを本体部１３の前方に向けて霧状に噴射する。また、美容器１のスイッチ１６がＯＦＦにされると、化粧液Ｅの噴射を停止する。
【００３１】
前記本体部１３は、図３に示すように、側面中央部が径方向に膨らんだ棒状に形成されている。具体的には、前端部１３ａから中央部１３ｂに向かうに従い次第に外径が大きくなり、中央部１３ｂにおいて外径が最大となり、中央部１３ｂから後端部１３ｃに向かうに従い次第に外径が小さくなるよう形成されている。なお、本実施形態において、前端部１３ａの外径は２０ｍｍ、中央部１３ｂの外径は４０ｍｍ、後端部１３ｃの外径は２０ｍｍ程度である。
【００３２】
前記本体部１３は、上述したように、前端部１３ａに前記化粧液噴射機構１２が設けられるとともに、後端部１３ｃにバッテリ部１４が設けられている。
【００３３】
前記バッテリ部１４は、反復して充電および放電が可能な二次電池を備え、美容器１のスイッチ１６がＯＮにされた時に化粧液噴射機構１２に電力を供給し、美容器１のスイッチ１６がＯＦＦにされた時に化粧液噴射機構１２への電力の供給を停止する。また、バッテリ部１４は、図４に示すように、後端に充電用端子１４ａが設けられている。
【００３４】
また、前記本体部１３は、前端部１３ａからやや中央部１３ｂに向かった部分の上方の外側面において、化粧液収容容器１１が脱着可能に嵌合される嵌合部１５が設けられている。これによれば、化粧液収容容器１１が本体部１３の嵌合部１５を介して外側面に脱着可能に設けられるため、本体部１３の外側面において使用済みの化粧液収容容器１１を取り外した後、未使用の化粧液収容容器１１を取り付けることにより、化粧液Ｅを簡単かつ確実に供給することができる。
【００３５】
また、化粧液収容容器１１により十分な量の化粧液Ｅを供給し得るため、美容器１を連続使用することができる。また、化粧液収容容器１１の大きさを化粧液Ｅの種類や用途等に応じて適宜変更することにより、化粧液Ｅの供給量を調整することができる。
【００３６】
また、化粧液収容容器１１が本体部１３の外側面に設けられていることにより、化粧液Ｅの残量を目視により容易に把握し得るため、美容器１の内部の化粧液Ｅの残量を把握するための検出機器を別に設ける必要がなくなり、美容器１が大型化したりコスト高になることを防止することが可能になる。
【００３７】
また、前記嵌合部１５は、図５に示すように、上下方向に開口した環状に形成されており、前記化粧液収容容器１１の一方の端部１１１ａを内側に嵌合する。このため、簡易な構成により化粧液収容容器１１を本体部１３に脱着可能に設けることができるとともに、化粧液Ｅが化粧液収容容器１１と本体部１３の間から漏れ出ることを防止することができる。
【００３８】
また、前記嵌合部１５は、化粧液収容容器１１の径方向に弾性変形可能なエラストマー樹脂等の弾性部材により構成されている。これによれば、嵌合部１５が化粧液収容容器１１の径方向に弾性を備えるため、使用者は化粧液収容容器１１を本体部１３に簡単かつ確実に脱着することができる。
【００３９】
また、前記嵌合部１５は、図５に示すように、前記本体部１３から径方向外側に向けて上方に延びたあと、径方向内側に向けて湾曲する形状に形成されている。具体的には、嵌合部１５は、本体部１３から径方向外側に向けて上方に延びる第１の嵌合片１５ａと、第１の嵌合片１５ａの上端から上方に延びる第２の嵌合片１５ｂと、第２の嵌合片１５ｂの上端から径方向内側に延びる第３の嵌合片１５ｃを備えている。これによれば、嵌合部１５が化粧液収容容器１１の径方向に柔軟に変形し得るため、使用者は化粧液収容容器１１を本体部１３により簡単かつ確実に脱着することができる。
【００４０】
次に、美容器１の使用方法について説明する。
【００４１】
使用者は、未使用の化粧液収容容器１１を把持しながら開口部１１３から蓋やフィルム等を外したあと、該化粧液収容容器１１を本体部１３の嵌合部１５に下方から嵌合する。これにより、未使用の化粧液収容容器１１が美容器１の本体部１３に取り付けられる。
【００４２】
そして、使用者は、美容器１の本体部１３を周方向に１８０°回転させることにより、化粧液収容容器１１を本体部１３の上方に配置する。これにより、化粧液収容容器１１に収容された化粧液Ｅが重力の作用により本体部１３に流入する。
【００４３】
そして、使用者は、化粧液収容容器１１が本体部１３の上方に位置する状態を維持しながら、美容器１のスイッチ１６をＯＮにすると、化粧液噴射機構１２が化粧液Ｅを前方に向けて液状に噴射して、前方に近接した顔面に対して化粧液Ｅを塗布する。
【００４４】
そして、使用者は、美容器１を顔面の面方向に沿って移動させることにより、化粧液Ｅを顔面全体に塗布する。
【００４５】
そして、使用者は、化粧液Ｅを顔面全体に塗布した際、美容器１のスイッチ１６をＯＦＦにすると、化粧液噴射機構１２が化粧液の噴射を停止して、顔面に対する化粧液Ｅの塗布が終了する。
【００４６】
このとき、化粧液収容容器１１の内部に化粧液Ｅが残留している場合、化粧液収容容器１１が本体部１３の下方に配置されるよう美容器１を回転させて、本体部１３の内部に残留している化粧液Ｅを化粧液収容容器１１に流出させることにより、化粧液Ｅが美容器１の外気に触れにくくなり、美容器１の内部で劣化することを軽減することができる。また、本体部１３に残留している化粧液Ｅを廃棄することなく利用することができ、資源の無駄が生じるのを防止することが可能となる。
【００４７】
一方、化粧液収容容器１１の内部に化粧液Ｅが残留していない場合、使用者は、化粧液収容容器１１が本体部１３の下方に位置する状態を維持しながら、使用済みの化粧液収容容器１１を本体部１３の嵌合部１５から取り外して、上述のように新たな未使用の化粧液収容容器１１を嵌合部１５に下方から嵌合する。
【００４８】
＜第２の実施形態＞
次に、本考案に係る美容器の第２の実施形態について図６〜図７を参照しつつ説明する。なお、以下では上記の実施形態と異なる構成についてのみ説明することとし、同一の構成については説明を省略して同一の符号を付すこととする。
【００４９】
美容器セットは、図６に示すように、顔面に化粧液Ｅを塗布する美容器１と、美容器１を充電する充電器２とを備え、前記美容器１は横倒状態で充電器２に載置される。
【００５０】
具体的には、前記充電器２は、偏平な長円体状に形成され、上面中央部に前後方向に延びる凹部２１を有しており、床面や机面等に設置される。この凹部２１は、底部２１ａが前端から後端に向かうに従って下方に傾斜しており、前端が前側上方に開放されるとともに、後端が美容器１の後端部１３ｃを係止する係止部２１ｂにより後側下方を閉塞している。このため、美容器１が横倒状態で充電器２に載置されると、美容器１が前端部１３ａから後端部１３ｃに向かうに従って下方に傾斜した状態で凹部２１に嵌め込まれる。
【００５１】
このとき、前記美容器１は、化粧液収容容器１１が本体部１３の下方に位置する状態で充電器２に載置される。これによれば、本体部１３の内部に残留している化粧液Ｅが本体部１３の下方に位置する化粧液収容容器１１に流出するため、化粧液Ｅが美容器１の外気に触れにくくなり、美容器１の内部で劣化することを軽減することができる。また、本体部１３に残留している化粧液Ｅを廃棄することなく利用することができ、資源の無駄が生じるのを防止することが可能となる。
【００５２】
また、前記美容器１は、本体部１３の前端部１３ａから中央部１３ｂに亘る部分が充電器２の前方に突出する状態で載置される。このとき、化粧液収容容器１１は、本体部１３の前端部１３ａからやや中央部１３ｂに向かった部分に設けられているため、充電器２の前方の外側に位置することとなる。このため、化粧液収容容器１１が充電器２や充電器２の設置面Ｆに接触することを防止し得るため、美容器１を充電器２に安定して載置することができる。
【００５３】
さらに、上述のように美容器１が前端部１３ａから後端部１３ｃに向かうに従って下方に傾斜した状態で凹部２１に嵌め込まれることにより、美容器１の前端部１３ａが床面や机面等の充電器２の設置面Ｆからより離れた状態となるため、化粧液収容容器１１が充電器２の設置面Ｆに接触することをより確実に防止することができる。
【００５４】
なお、前記充電器２は、係止部２１ｂに美容器１の充電用端子１４ａと電気的に接続可能な充電用端子２２が設けられている。これにより、美容器１が充電器２に載置されている間、美容器１の充電用端子１４ａと充電器２の充電用端子２２が電気的に接続して、美容器１が充電器２により充電される。
【００５５】
上記実施形態において、前記嵌合部１５は、前記化粧液収容容器１１の一方の端部１１１ａを内側に嵌合するものとしたが、これに限られず、前記化粧液収容容器１１の一方の端部１１１ａを外側に嵌合するものであってもよい。
【００５６】
また、前記嵌合部１５は、弾性部材により構成されているものとしたが、これに限られず、その他の部材により構成されてもよい。
【００５７】
また、前記嵌合部１５は、本体部１３から径方向外側に向けて上方に延びたあと、径方向内側に向けて湾曲する形状に形成されているものとしたが、これに限られず、それ以外の形状に形成されてもよい。
【００５８】
また、本考案の美容器１は、充電器２を備えるものとしたが、これに限られず、充電器２を備えなくてもよいし、その他の付属品を備えてもよい。
【００５９】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００６０】
１…美容器
１１…化粧液収容容器
１１１…側面部
１１１ａ…端部
１１２…底部
１１３…開口部
１２…化粧液噴射機構
１３…本体部
１３ａ…前端部
１３ｂ…中央部
１３ｃ…後端部
１４…バッテリ部
１４ａ…充電用端子
１５…嵌合部
１５ａ…第１の嵌合片
１５ｂ…第２の嵌合片
１５ｃ…第３の嵌合片
１６…スイッチ
２…充電器
２１…凹部
２１ａ…底部
２１ｂ…係止部
２２…充電用端子
Ｅ…化粧液
Ｆ…設置面
【図１】
0003211373.tif 000003
【図２】
0003211373.tif 000004
【図３】
0003211373.tif 000005
【図４】
0003211373.tif 000006
【図５】
0003211373.tif 000007
【図６】
0003211373.tif 000008
【図７】
0003211373.tif 000009